(57)【要約】【課題】低温の操作環境を提供して低温の実験の操作の品質を維持することができる低温生物実験操作装置を提供する。【解決手段】一個の受容体１および一個の空気循環ユニット２を有する。受容体１は一個の第一受容体１ａと一個の第二受容体１ｂに分けられ、第一受容体１ａの周壁には一個の操作用窓口１２が設けられ、操作用窓口１２は一個の開閉用蓋板１３によって密封され、かつ開閉用蓋板１３には一個の覗き窓１３１が形成される。空気循環ユニット２は第二受容体１ｂの内に設置され、空気循環ユニット２によって低温の空気を第一受容体１ａの内部に送り出すように構成されている。【選択図】図１
0003172530.tif 000002
【実用新案登録請求の範囲】
【請求項１】
一個の受容体（１）および一個の空気循環ユニット（２）を有する低温生物実験操作装置であって、受容体（１）は一個の第一受容体（１ａ）と一個の第二受容体（１ｂ）に分けられ、第一受容体（１ａ）の周壁には一個の操作用窓口（１２）が設けられ、操作用窓口（１２）は一個の開閉用蓋板（１３）によって密封され、かつ開閉用蓋板（１３）には一個の覗き窓（１３１）が形成され、空気循環ユニット（２）は第二受容体（１ｂ）内に設置され、低温の空気は空気循環ユニット（２）によって第一受容体（１ａ）の内部に送り出されることを特徴とする低温生物実験操作装置。
【請求項２】
さらに、受容体（１）は一個の層板（１１）によって区切られ、第一受容体（１ａ）には一個の操作室（Ｓ１）が含まれ、かつ第二受容体（１ｂ）には一個の受容室（Ｓ２）が含まれ、受容室（Ｓ２）と操作室（Ｓ１）は互いに連通するように形成され、かつ層板（１１）には二個の導風口（１１１）が設けられ、導風口（１１１）によって空気を循環して流通することを特徴とする請求項１に記載の低温生物実験操作装置。
【請求項３】
覗き窓（１３１）は透光性を有する材質の部材により構成され、かつ覗き窓（１３１）には複数個の防曇線（１３２）が設けられることを特徴とする請求項１または２に記載の低温生物実験操作装置。
【請求項４】
第一受容体（１ａ）の内周壁には少なくとも一個の発光ユニット（１４）が設けられ、発光ユニット（１４）には一個の殺菌灯（１４１）と一個の蛍光灯（１４２）が含まれ、殺菌灯（１４１）と蛍光灯（１４２）はそれぞれ第一受容体（１ａ）の内部において発光することを特徴とする請求項１または２に記載の低温生物実験操作装置。
【請求項５】
空気循環ユニット（２）には一個の圧縮ユニット（２１）、一個の温度調整ユニット（２２）および一個の気体増圧ユニット（２３）が含まれ、気体増圧ユニット（２３）、温度調整ユニット（２２）および圧縮ユニット（２１）は全て層板（１１）の上表面に設けられ、かつ互いに電気的に接続するように形成され、温度調整ユニット（２２）は導風口（１１１）に位置するように形成されることにより、操作室（Ｓ１）内に空気を導入し、かつ気体増圧ユニット（２３）はもう一個の導風口（１１１）に位置するように形成されることにより、空気を無菌状態になるまで高圧で処理することを特徴とする請求項２に記載の低温生物実験操作装置。
【請求項６】
さらに一個の通気管（５４）が設けられ、通気管（５４）の一端は気体増圧ユニット（５３）に連接され、かつ通気管（５４）の他端は操作室（Ｓ１）と互いに連通するように形成されることにより、温度調整ユニット（５２）によって冷却された空気を導出することを特徴とする請求項５に記載の低温生物実験操作装置。
【請求項７】
開閉用蓋板（１３）は操作用窓口（１２）の周縁に枢設されることにより、操作用窓口（１２）の開閉を制御することを特徴とする請求項１または２に記載の低温生物実験操作装置。
【請求項８】
開閉用蓋板（４３）は一個の連動ユニット（４４）と互いに結合するように形成され、連動ユニット（４４）によって開閉用蓋板（４３）の昇降を連動することを特徴とする請求項１または２に記載の低温生物実験操作装置。
【請求項９】
連動ユニット（４４）には一個のチェーン（４４１）、一個の歯車ユニット（４４２）および一個のつり合い重り（４４３）が含まれ、チェーン（４４１）の一端はつり合い重り（４４３）に連接され、チェーン（４４１）の他端は開閉用蓋板（４３）に連接され、かつ歯車ユニット（４４２）はチェーン（４４１）が往復移動するのに用いられることを特徴とする請求項８に記載の低温生物実験操作装置。
【請求項１０】
さらに一個の制御ユニット（３）が第二受容体（１ｂ）の外周壁に設置され、制御ユニット（３）は空気循環ユニット（２）に電気的に接続されることを特徴とする請求項１または２に記載の低温生物実験操作装置。
【請求項１１】
受容体（１）の底部には複数個の滑車（１８）が設けられることにより、低温生物実験操作装置の移動を連動することを特徴とする請求項１または２に記載の低温生物実験操作装置。
【請求項１２】
第一受容体（１ａ）の周壁には一個の第一補助操作用窓口（１５）と一個の第二補助操作用窓口（１６）が設けられ、第一補助操作用窓口（１５）と第二補助操作用窓口（１６）はそれぞれ操作室（Ｓ１）に連通するように形成され、かつそれぞれ一個の蓋板（１５１、１６１）によって密封されることを特徴とする請求項２に記載の低温生物実験操作装置。
【請求項１３】
第一補助操作用窓口（１５）は操作用窓口（１２）と同じく第一受容体（１ａ）の周壁に設けられ、かつ一個の引き戸式の蓋板（１５１）によって滑動自在に第一補助操作用窓口（１５）に結合されることにより、第一補助操作用窓口（１５）の開閉を制御することを特徴とする請求項１２に記載の低温生物実験操作装置。
【請求項１４】
第二補助操作用窓口（１６）は第一受容体（１ａ）の相対する二個の側壁に設けられ、かつ複数個の互いに対応する窓口によって構成されることを特徴とする請求項１２に記載の低温生物実験操作装置。
【請求項１５】
第一受容体（１ａ）内には他に少なくとも一個の給電座（１７）が設けられることを特徴とする請求項１または２に記載の低温生物実験操作装置。
【考案の詳細な説明】
【技術分野】
【０００１】
本考案は、生物の操作装置に関するもので、特に、低温で無塵、無菌の生物医学操作装置に係るものである。
【背景技術】
【０００２】
生物実験の操作では全体の実験過程において細菌またはウイルスが外へ漏れることによって室内の環境を汚染してしまうのを避けるべく、或いは操作員が細菌またはウイルスからの感染を避けるべく、規格が比較的高い設備に頼らなければならない。その一方で、外部環境中の浮遊物質や微粒子等によって実験対象物が汚染されることで最終的な実験結果に誤差が生じるのを避けるべく、生物実験は全過程において無菌、無塵の状態を維持しなければならない。
【０００３】
特に、大多数の生物実験は全て低温環境で行なわなければならず、例えば、蛋白質の抽出、細胞の実験、動物の組織操作などで必要とされている。さらに、なんらかの酵素、低温の薬品を必要とする実験では、適当な低温を維持しなければ、外気温度と湿度によって否定的な影響（例えば蛋白質分解、酵素の活性化の消失、細胞または組織の腐敗など）が生じてしまうのを避けることができず、より良い生物実験の品質を維持することもできない。
【０００４】
例えば、中国公告番号第ＣＮ１０１３４２４９９Ｂ号の「双面低温の生物操作台」（特許文献１を参照）の特許においては、双面低温の生物操作台は各種の低温環境で生物実験を行なわなければならない場合に用いられるが、上記双面低温の生物操作台は大型の操作装置に属するため、比較的大きい設置空間を占めなければならず、しかも定位置での実験の操作しか行なうことができず、そのため、上記双面低温の生物操作台は汎用化されていない。
【先行技術文献】
【特許文献】
【０００５】
【特許文献１】中国公告番号第ＣＮ１０１３４２４９９Ｂ号公報
【考案の概要】
【考案が解決しようとする課題】
【０００６】
例えば、現在に行われている蛋白質の抽出を例に挙げると、依然として従来の操作の手順が主であり、その多くは先ず大型の製氷機で製氷し、それから容器を利用して大量の砕氷を盛った後、細胞または組織を受容した実験管を容器の砕氷に挿入してから、蛋白質の抽出を行なっている。このように、余分なコストを掛けて専用の製氷装置を購入するだけではなく、製氷過程において、水と電気の無駄だけでなく、相対的に実験の操作に必要とする時間が増えてしまうという問題点があった。また、砕氷が容器の中において迅速に溶け易く、実験管を安定して砕氷の中に挿入することができないため、実験管の中の液体が溢出したり、実験管の中に氷水が滲み込んで汚染してしまうため、使えなくなるという問題があった。
【０００７】
その他に、低温環境を維持する上で、その多くは砕氷を盛った容器に頼らなければならないが、無菌、無塵の操作台であっても容器を無造作に操作台の上に置くことができないため、実験操作において制限されてしまうという問題点があった。さらには、無菌、無塵の環境下において長時間に操作を行なうと、空気中の浮遊物または汚れた微粒子などによって予期できない影響を与えられて実験の品質が悪化してしまうという問題があった。
【０００８】
かくして、上述した各種の問題点を解決するべく、低温操作条件下での生物実験操作装置を提供するとともに、無菌、無塵を制御することができる低温生物実験操作装置が要求されている。
【０００９】
本考案はこのような問題点に鑑みて考案されたものであって、その主な目的とするところは、低温の操作環境を提供して低温による実験操作の品質を維持することができる低温生物実験操作装置を提供することである。
【００１０】
本考案の第二の目的は、気体の高圧処理を経ることによって無菌と無塵の操作環境を提供することにより、外気中の浮遊物質または汚れた微粒子によって実験対象物が汚染されるのを避けることができる低温生物実験操作装置を提供することにある。
【００１１】
本考案の第三の目的は、製氷装置を購入する必要性を除去することにより余分なコストを省くことができるとともに、製氷過程における時間、水と電気の無駄を避けることによって実験操作に必要な時間を短縮することができる低温生物実験操作装置を提供することである。
【課題を解決するための手段】
【００１２】
上記目的を達成するために、本考案による低温生物実験操作装置は、一個の受容体および一個の空気循環ユニットを有する。受容体は一個の第一受容体と一個の第二受容体に分けられる。第一受容体の周壁には一個の操作用窓口が設けられ、この操作用窓口は一個の開閉用蓋板によって密封され、かつ開閉用蓋板には一個の覗き窓が形成されている。空気循環ユニットは第二受容体内に設置され、空気循環ユニットによって低温の空気を第一受容体の内部に送り出すように構成される。
【００１３】
また、他に一個の層板によって受容体を区切り、第一受容体には一個の操作室が含まれ、かつ第二受容体には一個の受容室が含まれ、受容室と操作室は互いに連通するように形成され、かつ層板には二個の導風口が設けられ、導風口によって空気を循環して流通することもできる。また、覗き窓は透光性を有する材質の物件により構成され、かつ覗き窓には他に複数個の防曇線が設けられることもできる。また、第一受容体の内周壁には他に少なくとも一個の発光ユニットが設けられ、発光ユニットには一個の殺菌灯と一個の蛍光灯が含まれ、殺菌灯と蛍光灯はそれぞれ第一受容体の内部において光源を発散することもできる。
【００１４】
また、空気循環ユニットには一個の圧縮ユニット、一個の温度調整ユニットと一個の気体増圧ユニットが含まれ、気体増圧ユニット、温度調整ユニットと圧縮ユニットは全て層板の上表面に設けられ、かつ互いに電気的に接続するように形成され、温度調整ユニットは導風口に位置するように形成されることにより、操作室の内の空気を導入し、かつ気体増圧ユニットはもう一個の導風口に位置するように形成されることにより、空気を無菌状態になるまで高圧で処理することもできる。また、他に一個の通気管が設けられ、通気管の一端は気体増圧ユニットに連接され、かつ通気管の他端は操作室と互いに連通するように形成されることにより、温度調整ユニットによって冷却される空気を導出することもできる。
【００１５】
また、開閉用蓋板は操作用窓口の周縁に枢設されることにより、操作用窓口の開閉を制御することもできる。また、開閉用蓋板は一個の連動ユニットと互いに結合するように形成され、連動ユニットによって開閉用蓋板の昇降を連動することもできる。また、連動ユニットには一個のチェーン、一個の歯車ユニットと一個のつり合い重りが含まれ、チェーンの一端はつり合い重りに連接され、チェーンの他端は開閉用蓋板に連接され、かつ歯車ユニットはチェーンが往復に移動するのに用いられることもできる。また、他に一個の制御ユニットが設けられ、制御ユニットは空気循環ユニットに電気的に接続され、かつ制御ユニットは第二受容体の外周壁に設置されることもできる。また、受容体の底部には他に複数個の滑車が設けられることにより、低温生物実験操作装置の移動を連動することもできる。
【００１６】
また、第一受容体の周壁には一個の第一補助操作用窓口と一個の第二補助操作用窓口が設けられ、第一補助操作用窓口と第二補助操作用窓口はそれぞれ操作室に連通するように形成され、かつそれぞれ一個の蓋板によって密封されることもできる。また、第一補助操作用窓口は操作用窓口と同じく第一受容体の周壁に設けられ、かつ一個の引き戸式の蓋板によって滑動自在に第一補助操作用窓口に結合されることにより、第一補助操作用窓口の開閉を制御することもできる。また、第二補助操作用窓口は第一受容体の相対する二個の側壁に設けられ、かつ複数個の互いに対応する窓口によって共同で構成することもできる。また、第一受容体の内には他に少なくとも一個の給電座が設けられることもできる。
【考案の効果】
【００１７】
本考案の低温生物実験操作装置によれば、低温の操作環境を提供して低温による実験操作の品質を維持することができるという利点がある。
【００１８】
本考案の低温生物実験操作装置によれば、気体の高圧処理を経て無菌と無塵の操作環境を提供することにより、外部の空気中の浮遊物または汚れた微粒子などによって実験対象物が汚染されるのを避けることができるという利点がある。
【００１９】
本考案の低温生物実験操作装置によれば、製氷装置の購入を必要とする余分なコストを省くことができるとともに、製氷過程における時間、水と電気の無駄を避けることによって実験操作に必要とする時間を短縮することができるという利点がある。
【図面の簡単な説明】
【００２０】
【図１】図１は、本考案の実施例１による低温生物実験操作装置の斜視説明図である。
【図２】図２は、本考案の実施例１による低温生物実験操作装置の断面説明図である。
【図３】図３は、本考案の実施例２による低温生物実験操作装置の断面説明図１である。
【図４】図４は、本考案の実施例２による低温生物実験操作装置の断面説明図２である。
【考案を実施するための形態】
【００２１】
本考案の実施の形態について、以下、図面を参照して説明する。
【実施例１】
【００２２】
図１は本考案の実施例１による低温生物実験操作装置の斜視説明図である。図１を参照すると、低温生物実験操作装置は医学の分野における低温の生物医学の無菌作業台に適用するもので、一個の受容体１と一個の空気循環ユニット２が含まれる。空気循環ユニット２は受容体１内に設置され、空気循環ユニット２によって受容体１の低温の操作環境を維持することができる。ここにおいて、本考案において叙述される「低温」は外部の温度（室温２５℃）より低い温度環境を指し、特に温度が１℃〜８℃の低温の環境を指すもので、それによって比較的良好な低温の実験品質を維持することができる。
【００２３】
受容体１は、好ましくはアクリル酸エステルなどのアクリルの材質により製造され、かつ軽く、耐圧、耐熱と隔離の効果などの特性を有する。受容体１は一個の第一受容体１ａと一個の第二受容体１ｂに分けられ、実施例１においては、好ましくは一個の層板１１によって受容体１を区切ることにより、第一受容体１ａに一個の操作室Ｓ１が形成され、かつ第二受容体１ｂには一個の受容室Ｓ２が形成され、受容室Ｓ２と操作室Ｓ１は互いに連通するように形成される。
【００２４】
実施例１において、層板１１には、好ましくは二個の導風口１１１が設けられ、二個の導風口１１１によって空気を循環して流通することができる。二個の導風口１１１の内の一個の導風口においては、他に一個のろ過網（図示なし）が設けられ、このろ過網によって一個の風入口として空気中に含まれる浮遊物または汚れた微粒子などをろ過することにより、循環空気の品質を高めることができる。その中、第一受容体１ａは特別に透光性を有する材質のアクリルによって製造されることにより、操作過程の視界を高めることができ、かつ第一受容体１ａを梯形の外観設計に形成することにより、操作室Ｓ１の操作範囲をさらに広めることができる。
【００２５】
第一受容体１ａの周壁には一個の操作用窓口１２が設けられ、操作用窓口１２は一個の開閉用蓋板１３によって密封される。実施例１において、操作用窓口１２は、好ましくは第一受容体１ａの梯形の斜面に設置されることにより、適当なサイズを有する操作用窓口１２を提供することができる。これにより、操作員の両手は操作室Ｓ１に伸び入れることができるとともに、操作用窓口１２から物品を置き入れることを基本とすることができるため、本考案の操作用窓口１２のサイズは制限されることがない。
【００２６】
開閉用蓋板１３は、好ましくは操作用窓口１２の周縁（すなわち図１に示される操作用窓口１２の上端縁）に枢設され、かつ開閉用蓋板１３には一個の覗き窓１３１が形成される。覗き窓１３１は、好ましくは透光性を有する材質のガラスによって製造され、さらに覗き窓１３１の表面には複数個の防曇線１３２（図１に示される如く）が形成される。覗き窓１３１の視界は、防曇線１３２によって覗き窓１３１が内外の温度差で曇ってしまうのを避けることができるため、鮮明度を高めることができる。ここにおいて、複数個の防曇線１３２の設計は曇るという現象を防止するための一つの実施形態だけであって、例えば、選択的に覗き窓１３１においてナノ層を形成することにより、同様に水気の付着によって曇りが生じるのを防止することができることは、従来の技術分野を熟知した者または通常の知識を有するものにとっては容易に理解できることであり、ここではその適用について制限を設けない。
【００２７】
また、第一受容体１ａの内には他に少なくとも一個の発光ユニット１４が設けられる。発光ユニット１４には一個の殺菌灯１４１と一個の蛍光灯１４２が含まれる。殺菌灯１４１と蛍光灯１４２は第一受容体１ａの内周壁に設置され、好ましくは、層板１１の下表面（すなわち図２に示される層板１１下方）に設置されることにより、殺菌灯１４１と蛍光灯１４２はそれぞれ操作室Ｓ１において光を発散し、かつ殺菌灯１４１は選択的に、例えば紫外線などの殺菌効果を有する光源を発散することができる。その中、発光ユニット１４の設置は充分な殺菌または照明効果を提供できることを主要な原則とするため、発光ユニット１４の設置位置に対して制限を設けないだけではなく、さらに殺菌灯１４１と蛍光灯１４２の間の設置関係に対しても制限を設けない。
【００２８】
再び図１を参照すると、本考案の低温生物実験操作装置においては、さらに第一受容体１ａの周壁に一個の第一補助操作用窓口１５と一個の第二補助操作用窓口１６が設けられる。第一補助操作用窓口１５と第二補助操作用窓口１６はそれぞれ操作室Ｓ１と連通するように形成され、かつそれぞれは一個の蓋板１５１、１６１によって密封される。実施例１において、第一補助操作用窓口１５は、好ましくは操作用窓口１２の第一受容体１ａと同じ周壁に設けられ、かつ特別に一個の引き戸式の蓋板１５１によって滑動自在に第一補助操作用窓口１５に結合されることにより、第一補助操作用窓口１５の開閉を制御することができ、かつ使用者は両手を第一補助操作用窓口１５から操作室Ｓ１に伸び入れることにより、補助的な操作を行なうことができる。
【００２９】
第二補助操作用窓口１６は、好ましくは第一受容体１ａの相対する二個の側壁に設けられ、特に図１に示されるように操作用窓口１２に隣接する両側において互いに対応する複数個の窓口を設けることにより、操作員による補助的な操作を提供することができ、かつ操作する必要がない場合には蓋板１６１を利用して密封することにより、外部の空気中の浮遊物または汚れた微粒子などが操作室Ｓ１に進入するのを防止することができる。
【００３０】
また、第一受容体１ａの内においても、使用者の需要性に応じて少なくとも一個の給電座１７が設けられる。それにより、操作室Ｓ１の内において電力による駆動を必要とするいかなる物件も取り入れることができ、かつ実験操作時において給電座１７から電力を出力して利用することができる。その他に、選択的に受容体１の底部において複数個の滑車１８を設けることにより、本考案の低温生物実験操作装置の移動を連動することができるため、いかなる操作場所にも広く用いることができる。
【００３１】
図２は本考案の実施例１による低温生物実験操作装置の断面説明図である。図１、２を参照すると、空気循環ユニット２は第二受容体１ｂ内に設置され、空気循環ユニット２によって低温の空気を第一受容体１ａの内部に送り出すことができる。実施例１において、空気循環ユニット２には一個の圧縮ユニット２１、一個の温度調整ユニット２２および一個の気体増圧ユニット２３が含まれる。気体増圧ユニット２３、温度調整ユニット２２および圧縮ユニット２１は全て層板１１の上表面（すなわち図２に示される層板１１の上方）に設けられ、かつ互いに電気的に接続するように形成される。
【００３２】
温度調整ユニット２２は、好ましくは導風口１１１に位置するように形成されることにより、操作室Ｓ１の内の空気を導入し、かつ気体増圧ユニット２３をもう一個の導風口１１１に位置するように形成することにより、無菌状態になるまで高圧で処理された空気を導出することができる。この空気は導風口１１１のろ過網によって初期的な浮遊物、汚れた微粒子および菌などをろ過し、それから温度調整ユニット２２に進入した後、上記空気は温度調整ユニット２２の内部の循環システムを経て冷却し、再び気体増圧ユニット２３によって高圧の処理を行なうことにより、上記空気は無菌状態にされ、さらにもう一個の導風口１１１から低温、無菌かつ無塵の空気を操作室Ｓ１に送り出すことができる。
【００３３】
また、温度調整ユニット２２の内において循環される空気が冷却された後、特別に一個の除湿部材（図示なし）によって空気の水分を除去することができ、かつ上記空気が操作室Ｓ１において垂直方向に循環して流動するように維持することにより、本考案の低温生物実験操作装置では低温、無菌かつ無塵の空気を簡単に送り出すことができる。
【００３４】
最も注意すべきことは、本考案において叙述される空気循環ユニット２は単なる空気を冷却し（温度は好ましくは約１〜８℃を維持する。）、かつ同時に操作室Ｓ１を無菌、無塵の状態に維持することができればよいのであり、空気循環ユニット２の動作原理に関しては従来の技術を熟知した者には容易に理解できることであるため、ここでは詳しく説明しない。また、空気循環ユニット２内部の部材の配置についても、本考案の理念の下で従来の技術を熟知した者の通常の知識に基づいてその配置関係を任意に変更することにより、上述した効果を同様に達成することも可能であるため、実施例１においては単なる簡単な叙述であり、その制限を設けない。
【００３５】
再び図１を参照すると、本考案においては他に一個の制御ユニット３が設けられる。制御ユニット３は空気循環ユニット２に電気的に接続され、かつ好ましくは、第二受容体１ｂの外周壁に設置される。使用者は制御ユニット３によって必要とする温度を選択的に調整することにより、良好な温度制御効果を獲得することができ、よりよい実験操作の品質を維持することができる。
【００３６】
上述の如く、本考案の低温生物実験操作装置の主な特徴は、空気循環ユニット２の設置によって第一受容体１ａの操作室Ｓ１内の空気を往復する循環冷却と除湿のシステムを経て温度が室温より低い維持された空気、好ましくは１〜８℃の空気を送り出すことにより、操作室Ｓ１の低温環境を確実に維持できるため、低温による実験操作の品質を高めることができる。
【００３７】
さらに、複数個の防曇線１３２の設計により、操作室Ｓ１内の低温空気と外部の温度との温度差で覗き窓１３１に水滴が凝結して曇ってしまうのを防止することができるため、使用者が低温での操作時における視界の鮮明度を高めることができる。このように、従来の製氷過程に必要とするコストと時間の無駄を省くことができるだけではなく、さらに同時に空気循環ユニット２による空気の負圧循環と空気の高圧処理の特性によって操作室Ｓ１におけるより良好な無菌および無塵の環境を維持することができ、さらに外部空気の浮遊物、汚れた微粒子および細菌などによる汚染を低く抑えることができるため、低温実験の効率を高めることができるとともに、実験の品質を安定化にすることができる。
【実施例２】
【００３８】
図３は本考案の実施例２による低温生物実験操作装置の断面説明図１である。図３を参照すると、低温生物実験操作装置には一個の受容体４と一個の空気循環ユニット５が含まれる。空気循環ユニット５は受容体４内に設置され、空気循環ユニット５によって受容体４の低温における操作環境を維持することができる。
【００３９】
受容体４の設計は実施例１と略同じであり、一個の層板４１の区切りによって受容体４は一個の第一受容体４ａと一個の第二受容体４ｂに分けられ、かつ第一受容体４ａの周壁においても一個の操作用窓口４２が設けられ、操作用窓口４２は一個の開閉用蓋板４３によって密封される。実施例１との差異は、実施例２において叙述される開閉用蓋板４３は特別に一個の連動ユニット４４と互いに結合するように形成されることである。連動ユニット４４によって開閉用蓋板４３の昇降を連動することにより、選択的に操作用窓口４２は開放または閉鎖状態に形成させる。
【００４０】
その中、連動ユニット４４には一個のチェーン４４１、一個の歯車ユニット４４２と一個のつり合い重り４４３が含まれ、チェーン４４１の一端はつり合い重り４４３に連接され、チェーン４４１の他端は開閉用蓋板４３に連接され、かつ歯車ユニット４４２はチェーン４４１が往復に移動するのに用いられ、さらにつり合い重り４４３と開閉用蓋板４３との間の重量は平衡であるため、開閉用蓋板４３の昇降を制御することができる。連動ユニット４４の詳細な作動の原理は従来の技術を熟知した者には容易に理解することができるものであって、かつ本考案における代替的な実施例だけであるため、ここでは連動ユニット４４の詳細な配置について詳しく説明しない。
【００４１】
図４は本考案の実施例２による低温生物実験操作装置の断面説明図２である。図３、４を参照すると、空気循環ユニット５の設計は実施例１と略同じであり、空気循環ユニット５には一個の圧縮ユニット５１、一個の温度調整ユニット５２と一個の気体増圧ユニット５３が含まれることにより、低温の空気を第一受容体４ａの内部に送り出すことができ、かつ同時に操作室Ｓ１’は無菌、無塵の状態に形成される。実施例１との差異は、実施例２においては他に特別に一個の通気管５４が設けられることである。通気管５４の一端は気体増圧ユニット５３に連接され、かつ通気管５４の他端は操作室Ｓ１’と互いに連通するように形成されることにより、温度調整ユニット５２の内部の循環システムを経て冷却され、かつ再び気体増圧ユニット５３を経て無菌状態になるまで高圧で処理された空気を導出することができる。
【００４２】
このように、第一受容体４ａの内部の空気の負圧循環を維持することにより、操作室Ｓ１’の内における比較的大きい空気の圧力を維持することができるため、開閉用蓋板４３が開く瞬間にのみ外部の空気が導入され、操作室Ｓ１’の内部が汚染されてしまうのを防止することができる。
【００４３】
その中、通気管５４が操作室Ｓ１’と連通する一端は特別に第一受容体４ａの底側（すなわち図４に示される如く）に設置され、特に通気管５４の開口５４１は操作用窓口４２に隣接するように形成されることにより、空気が通気管５４を経由して排出される時、下から上へ吹き出すような状態（図４の矢印に示される如く）で流動されることにより、よりよい空気の負圧循環を達成することができると同時に、外部の空気が操作用窓口４２から進入するのを避けることができるため、操作室Ｓ１’の内部における無菌、無塵の環境を確実に維持することができる。
【００４４】
上述の如く、本考案の低温生物実験操作装置によれば、直接低温の操作環境を提供することにより、各種の低温の操作環境を必要とする実験に適用することができるため、低温による実験の操作の品質を高めることができる。また、本考案の低温生物実験操作装置によれば、より良好な空気の負圧循環を維持することができ、特に気体の高圧処理を経て無菌と無塵の操作環境を確実に提供することにより、外気中の浮遊物または汚れた微粒子などによって実験対象物が汚染されるのを避けることができる。さらに、本考案の低温生物実験操作装置によれば、製氷装置を購入するのに必要とする余分なコストを省くことができるとともに、製氷過程における時間、水および電気の無駄を避けることによって実験の操作に必要とする時間を短縮することができる。
【００４５】
本考案は、その精神と必須の特徴事項から逸脱することなく他のやり方で実施することができる。従って、本明細書に記載した実施例は例示的なものであり、本発明を限定するものではない。
【符号の説明】
【００４６】
１    受容体
１ａ    第一受容体
１ｂ    第二受容体
１１    層板
１１１    導風口
１２    操作用窓口
１３    開閉用蓋板
１３１    覗き窓
１３２    防曇線
１４    発光ユニット
１４１    殺菌灯
１４２    蛍光灯
１５    第一補助操作用窓口
１５１    蓋板
１６    第二補助操作用窓口
１６１    蓋板
１７    給電座
１８    滑車
２    空気循環ユニット
２１    圧縮ユニット
２２    温度調整ユニット
２３    気体増圧ユニット
３    制御ユニット
４    受容体
４ａ    第一受容体
４ｂ    第二受容体
４１    層板
４１１    導風口
４２    操作用窓口
４３    開閉用蓋板
４３１    覗き窓
４３２    防曇線
４４    連動ユニット
４４１    チェーン
４４２    歯車ユニット
４４３    つり合い重り
４５    発光ユニット
４５１    殺菌灯
４５２    蛍光灯
４６    滑車
５    空気循環ユニット
５１    圧縮ユニット
５２    温度調整ユニット
５３    気体増圧ユニット
５４    通気管
５４１    開口
Ｓ１    操作室
Ｓ１’    操作室
Ｓ２    受容室
Ｓ２’    受容室
【図１】
0003172530.tif 000003
【図２】
0003172530.tif 000004
【図３】
0003172530.tif 000005
【図４】
0003172530.tif 000006